(57)【特許請求の範囲】
【請求項１】
光ディスクを装填するトレイの裏面側に配備された移動式の光学ピックアップをカバーするための膨出部をトレイの表面に備え、このトレイの略中央部に設けられたチャック機構に光ディスクを装着して回転駆動する光ディスクドライブの媒体保護構造であって、前記膨出部の外周に沿って前記トレイの表面にディスク保護部材を付設したことを特徴とする光ディスクドライブの媒体保護構造。
【請求項２】
前記ディスク保護部材の厚みは、該ディスク保護部材の付設位置において、前記チャック機構の外周部と前記膨出部の外側輪郭部とをディスク径方向に結ぶ直線よりも外側に突出するように形成されていることを特徴とする請求項１記載の光ディスクドライブの媒体保護構造。
【請求項３】
前記トレイの幅は、少なくとも、その一部が前記光ディスクの直径よりも短く形成され、前記ディスク保護部材の厚みは、該ディスク保護部材の付設位置において、前記チャック機構の外周部と前記膨出部の外側輪郭部とをディスク径方向に結ぶ直線よりも外側に突出し、かつ、前記チャック機構の外周部と前記トレイの幅方向の端部とをディスク径方向に結ぶ直線よりも外側に突出するように形成されていることを特徴とする請求項１記載の光ディスクドライブの媒体保護構造。
【請求項４】
前記ディスク保護部材は、前記トレイの表面に貼着されたテープ状の柔軟素材によって形成されていることを特徴とする請求項１，請求項２または請求項３記載の光ディスクドライブの媒体保護構造。
【請求項５】
前記テープ状の柔軟素材は、不織布によって形成されていることを特徴とする請求項４記載の光ディスクドライブの媒体保護構造。
【請求項６】
光ディスクを装填するトレイの裏面側に配備された移動式の光学ピックアップをカバーするための膨出部をトレイの表面に備え、このトレイの略中央部に設けられたチャック機構に光ディスクを装着して回転駆動する光ディスクドライブの媒体保護構造であって、前記膨出部にディスク保護部材を付設したことを特徴とする光ディスクドライブの媒体保護構造。
【請求項７】
前記ディスク保護部材の厚みは、該ディスク保護部材の付設位置において、前記チャック機構の外周部と前記膨出部の外側輪郭部とをディスク径方向に結ぶ直線よりも外側に突出するように形成されていることを特徴とする請求項６記載の光ディスクドライブの媒体保護構造。
【請求項８】
前記トレイの幅は、少なくとも、その一部が前記光ディスクの直径よりも短く形成され、前記ディスク保護部材の厚みは、該ディスク保護部材の付設位置において、前記チャック機構の外周部と前記膨出部の外側輪郭部とをディスク径方向に結ぶ直線よりも外側に突出し、かつ、前記チャック機構の外周部と前記トレイの幅方向の端部とをディスク径方向に結ぶ直線よりも外側に突出するように形成されていることを特徴とする請求項６記載の光ディスクドライブの媒体保護構造。
【請求項９】
前記ディスク保護部材は、前記トレイの表面に貼着されたテープ状の柔軟素材によって形成されていることを特徴とする請求項６，請求項７または請求項８記載の光ディスクドライブの媒体保護構造。
【請求項１０】
前記テープ状の柔軟素材は、不織布によって形成されていることを特徴とする請求項９記載の光ディスクドライブの媒体保護構造。
【発明の詳細な説明】
【０００１】
【発明の属する技術分野】
本発明は、取り扱いの不注意で光ディスクに生じる傷つきを防止する光ディスクドライブの媒体保護構造に関する。
【０００２】
【従来の技術】
近年、パーソナルコンピュータの小型化が進み、デスクトップタイプのパーソナルコンピュータでも薄型の光ディスクドライブが使用されることが多くなってきた。薄型の光ディスクドライブを使用する主な目的はパーソナルコンピュータ自体の小型化とパーソナルコンピュータの設置場所の省スペース化である。
【０００３】
従って、小型化されたパーソナルコンピュータをデスクトップ上に縦置きするケースも多くなり、光ディスクドライブに対する光ディスクの脱着作業に際して光ディスクに傷をつけてしまうような問題が生じる可能性も増大している。
【０００４】
図６はこの種の光ディスクドライブを備えたパーソナルコンピュータの一例を示した斜視図である。
【０００５】
縦置きにされるパーソナルコンピュータを小型化するためには、光ディスク１００を垂直に立てた姿勢でパーソナルコンピュータ１０１に装填する必要があり、当然、光ディスクを保持するトレイ１０２も、その面を垂直に立てた状態でパーソナルコンピュータ１０１に出入りすることになる。
【０００６】
図４はパーソナルコンピュータ１０１から光ディスクドライブ１０３を取り外してドライブ本体１０４からトレイ１０２を引き出した状態を示した図で、図６の方向性を基準にすると左側面図に相当する。
【０００７】
光ディスクドライブ１０３のトレイ１０２には図示を省略したスピンドルモータが内蔵され、このスピンドルモータの回転軸の先端に設けられたチャック機構１０５が、トレイ１０２の略中央部で表面に突出している。チャック機構１０５としては弾性変形するツメを用いたものや微小な鋼球をスプリングの付勢力でチャック機構１０５の径方向に出没させるもの等が既に公知である。
【０００８】
更に、トレイ１０２の表面には、移動式の光学ピックアップを配備するための膨出部１０６が形成され、この膨出部１０６の裏面側に配備された光学ピックアップ１０７が膨出部１０６のスリット１０８に沿ってディスク径方向に移動することによって光ディスク各部の情報の読み取りや書き込みが行われるようになっている。
【０００９】
【発明が解決しようとする課題】
図４の矢視ａ−ａの部分を切断し、トレイ１０２の基準面１０９に対する膨出部１０６とチャック機構１０５の突出状態の相互関係の概略を図５（ａ）に示す。
【００１０】
図５（ａ）に示されるように、トレイ１０２の基準面１０９に対して光ディスク１００を平行とした正しい姿勢で光ディスク１００をチャック機構１０５に装着できる場合には何ら問題はないが、例えば、図５（ｂ）に示されるように、基準面１０９に対して光ディスク１００を傾けたままの状態で光ディスク１００をチャック機構１０５に装着しようとすると、基準面１０９から立ち上がる膨出部１０６の外側輪郭部１０６ａに光ディスク１００の裏面が干渉して傷が発生し、情報の読み取りや書き込みが正常に行われなくなるといった問題が生じる場合がある。
【００１１】
特に、図６に示されるような縦置きのパーソナルコンピュータ１０１をモニタやキーボードの左側に設置して作業を行うような場合では、着脱の対象となる光ディスク１００がトレイ１０２の死角となって作業者の側からは見えにくく、実質的に手探りに近い状態で光ディスク１００の脱着作業が行われることになるので、光ディスク１００と膨出部１０６との衝合によるディスク裏面の傷の発生がが心配される。
【００１２】
しかも、近年の光ディスクドライブにおいては、CD-ROM，CD-R/RW，DVD-ROM等の多様な媒体に対処する必要上、光学ピックアップ１０７の幅や厚みも増大する傾向にあり、トレイ１０２の基準面１０９と膨出部１０６との段差も大きくなっているので、光ディスク１００の裏面を膨出部１０６の外側輪郭部１０６ａに接触させないように注意する必要がある。
【００１３】
【発明の目的】
そこで、本発明の目的は、前記従来技術の欠点を改善し、適正でない姿勢で光ディスクの脱着作業を行ったような場合であっても、光ディスクの裏面側に傷等の損傷が発生しにくい光ディスクドライブの媒体保護構造を提供することにある。
【００１４】
【課題を解決するための手段】
本発明は、光ディスクを装填するトレイの裏面側に配備された移動式の光学ピックアップをカバーするための膨出部をトレイの表面に備え、このトレイの略中央部に設けられたチャック機構に光ディスクを装着して回転駆動する光ディスクドライブの媒体保護構造であり、前記目的を達成するため、特に、前記膨出部の外周に沿ってトレイの表面にディスク保護部材を付設したことを特徴とする構成を有する。
【００１５】
膨出部の外周に沿ってトレイの表面に付設されたディスク保護部材により光ディスクの裏面と膨出部の角との直接の衝合が防止されるため、光ディスクを適正でない姿勢でチャック機構に装着しようとした場合であっても、膨出部の角との衝合による光ディスク裏面の傷の発生を未然に防止することができる。
【００１６】
ここで、ディスク保護部材の厚みは、ディスク保護部材の付設位置において、チャック機構の外周部と膨出部の外側輪郭部とをディスク径方向に結ぶ直線よりも外側に突出するように形成することが望ましい。
【００１７】
このような構成を適用した場合、光ディスクの裏面が膨出部の角に当たるよりも先に必ず光ディスクの裏面がディスク保護部材によって支えられることになるので、光ディスクの裏面と膨出部の角との衝合を確実に防止することができる。
【００１８】
また、トレイの幅が光ディスクの直径よりも短く形成された光ディスクドライブの場合においては、更に、ディスク保護部材の厚みを、ディスク保護部材の付設位置において、チャック機構の外周部とトレイの幅方向の端部とを結ぶ直線よりも外側に突出するように形成することが望ましい。
【００１９】
このような構成を適用することにより、光ディスクの裏面と膨出部の角との衝合によって生じる傷に加え、更に、光ディスクの裏面とトレイの端部との衝合によって生じる傷も防止することが可能となる。
【００２０】
ここで、ディスク保護部材は、トレイの表面に貼着されたテープ状の柔軟素材によって形成することが可能である。
【００２１】
ディスク保護部材をテープ状の柔軟素材とすることにより、膨出部を除くトレイの表面を全体的にディスク保護部材でカバーする場合と比べ、装置の製造コストの軽減化が可能となる。また、テープ状の柔軟素材をトレイの要所にのみ貼着すればよいので、トレイや膨出部の形状に応じたディスク保護部材を準備する必要もなく、作業性が向上する。
【００２２】
テープ状の柔軟素材としては不織布の使用が好適であり、その他にも、ゴムあるいは発泡ウレタン等の利用が可能である。
【００２３】
また、膨出部それ自体にディスク保護部材を付設してもよく、その場合は、膨出部の外側輪郭部に沿ってその内側、つまり、膨出部の縁に沿ってテープ状の柔軟素材を貼着することが望ましい。
【００２４】
前記と同様、ディスク保護部材により光ディスクの裏面と膨出部の角との直接の衝合が防止されるため、光ディスクを適正でない姿勢でチャック機構に装着しようとした場合であっても、膨出部の角との衝合による光ディスク裏面の傷の発生を確実に防止することができ、また、装置の製造コストの軽減化が可能であり、また、テープ状の柔軟素材をトレイの要所にのみ貼着すればよいので、トレイや膨出部の形状に応じたディスク保護部材を準備する必要もなく、作業性が向上する。テープ状の柔軟素材としては不織布の使用が好適であり、その他にも、ゴムあるいは発泡ウレタン等の利用が可能である。
【００２５】
【発明の実施の形態】
以下、図面を参照して本発明の実施形態について説明する。図１は本発明を適用した一実施形態の光ディスクドライブについて構造の概略を示した図である。
【００２６】
本実施形態の光ディスクドライブ１は、概略において、ドライブ本体２とトレイ３とによって構成される。このうち、トレイ３の内部には図示を省略したスピンドルモータが内蔵され、このスピンドルモータの回転軸の先端に設けられたチャック機構４が、トレイ３の略中央部で表面に突出している。
チャック機構４としては、弾性変形するツメを用いたものや微小な鋼球をスプリングの付勢力でチャック機構４の径方向に出没させるもの等が既に公知である。
【００２７】
そして、トレイ３の表面には、移動式の光学ピックアップを配備するための膨出部５が形成され、この膨出部５の裏面側に配備された光学ピックアップ６が膨出部５のスリット７に沿ってディスク径方向に移動することにより光ディスク各部の情報の読み取りや書き込みが行われるようになっている。
【００２８】
以上の点に関しては、図４に示されるような従来型の光ディスクドライブ１０３と同様である。
【００２９】
更に、本実施形態においては、トレイ３の表面、より具体的には、トレイ３の基準面９上に、膨出部５の外周に沿ってディスク保護部材８が付設されている。
【００３０】
このディスク保護部材８は、不織布やゴムあるいは発泡ウレタン等からなるテープ状の柔軟素材によって形成され、テープの裏面に予め塗布された接着剤等を介してトレイ３の基準面９上に貼着されたものである。
【００３１】
ディスク保護部材８は必ずしも正確に膨出部５の外側輪郭部に沿って貼着する必要はなく、図１に示されるように、概略において膨出部５の外側輪郭部に沿っていれば十分である。
【００３２】
また、膨出部５の外側輪郭部に屈曲があるような場合であっても、必ずしもこの屈曲に厳密に倣ってディスク保護部材８を貼り付ける必要はなく、図１に示されるように、テープ状のディスク保護部材８を簡単に屈折させて基準面９上に貼着して一向に差し支えない。
【００３３】
テープ状の柔軟素材からなるディスク保護部材８を適用することにより、様々な形状の膨出部５に簡単に対処することが可能であり、しかも、膨出部５を除く基準面９を完全に覆う専用形状のディスク保護部材を利用する場合と比べ、装置の製造コストの低減化が可能である。
【００３４】
図１の矢視Ａ−Ａの部分を切断し、トレイ３の基準面９に対する膨出部５とチャック機構４およびディスク保護部材８の突出状態の相互関係の概略を図２（ａ）に示す。
【００３５】
図２（ａ）に示される通り、ディスク保護部材８の厚みは、このディスク保護部材８の付設位置において、チャック機構４の外周部と膨出部５の外側輪郭部５ａとをディスク径方向に結ぶ直線Ｌ１よりも外側に突出し、かつ、光ディスクの裏面を支えるチャック機構４のテーブル部４ａよりも外側に突出しないように形成されている。
【００３６】
従って、チャック機構４に光ディスク１００を装着する際に誤って光ディスク１００の姿勢を図２（ｂ）のように傾けてしまった場合であっても、光ディスク１００の裏面が膨出部５の外側輪郭部５ａの角に当たるよりも先に必ず光ディスク１００の裏面がディスク保護部材８によって支えられることになり、光ディスク１００の裏面と膨出部５の外側輪郭部５ａの角との衝合が確実に防止されることになる。
【００３７】
既に述べた通り、このディスク保護部材８がチャック機構４のテーブル部４ａよりも外側に突出することはないので、チャック機構４に装着された光ディスク１００にディスク保護部材８が接触する心配は全くない。
【００３８】
より厳密に言えば、ディスク保護部材８に必要とされる最低限度の厚さは、ディスク保護部材８の付設位置の影響を受けるもので、前述したように、チャック機構４の外周部と膨出部５の外側輪郭部５ａとをディスク径方向に結ぶ直線Ｌ１よりも外側に突出する必要がある。従って、仮に、ディスク保護部材８を図２（ａ）の例よりも更にディスク径方向外側に取り付けるとすれば、ディスク保護部材８自体の厚みは図２（ａ）の例よりも薄くてよく、また、これとは逆にディスク保護部材８を図２（ａ）の例よりも更にディスク径方向内側に取り付けるとすれば、ディスク保護部材８自体の厚みは図２（ａ）の例よりも多少は厚くする必要がある。
【００３９】
更に、本実施形態においては、このディスク保護部材８に、ディスク１００の直径よりも短い幅を有するトレイ３の幅方向の端部３ａと光ディスク１００との接触を防止するための機能を兼ねさせている。
【００４０】
図２（ａ）に示される通り、ディスク保護部材８の厚みは、このディスク保護部材８の付設位置において、チャック機構４の外周部とトレイ３の幅方向の端部３ａとをディスク径方向に結ぶ直線Ｌ２よりも外側に突出するように形成されているため、チャック機構４に光ディスク１００を装着する際に誤って光ディスク１００の姿勢を図２（ｂ）のように傾けてしまった場合であっても、光ディスク１００の裏面がトレイ３の幅方向の端部３ａに当たるよりも先に必ず光ディスク１００の裏面がディスク保護部材８によって支えられることになり、光ディスク１００の裏面とトレイ３の幅方向の端部３ａとの衝合が確実に防止されることになる。
【００４１】
以上、一実施形態として、単一のディスク保護部材８によって光ディスク１００の裏面と膨出部５の外側輪郭部５ａの角との衝合を防止し、同時に、光ディスク１００の裏面とトレイ３の幅方向の端部３ａとの衝合を防止する場合の例について述べたが、最近の光ディスクドライブではCD-ROM，CD-R/RW，DVD-ROM等の多様な光ディスクに対処するために光学ピックアップ６の幅や厚みが増大し、これに伴って膨出部５の厚みや面積も増長される傾向にあるので、トレイ３に対する直線Ｌ１，Ｌ２の傾きは直線Ｌ１、つまり、チャック機構４の外周部と膨出部５の外側輪郭部５ａとをディスク径方向に結ぶ直線Ｌ１の方が小さくなるのが普通であり、従って、この直線Ｌ１よりも外側に突出するようにディスク保護部材８の厚みを設計すれば、光ディスク１００の裏面とトレイ３の幅方向の端部３ａとの衝合も、多くの場合、必然的に防止されることになる。
【００４２】
また、膨出部５それ自体にディスク保護部材８を付設してもよく、その場合は、図３に示されるように、膨出部５の外側輪郭部５ａに沿ってその内側、つまり、膨出部５の縁に沿ってテープ状の柔軟素材からなる保護部材８を貼着することが望ましい。このような構成を適用した場合も、作用および効果の点に関しては最初に述べた実施形態の場合と同様である。
【００４３】
【発明の効果】
本発明による光ディスクドライブの媒体保護構造は、移動式の光学ピックアップをカバーする膨出部の外周に沿ってトレイの表面にディスク保護部材を付設するか、あるいは、膨出部それ自体の縁の部分に沿ってディスク保護部材を付設することによって光ディスクの裏面と膨出部の角との直接の衝合を防止するようにしたので、光ディスクを適正でない姿勢でチャック機構に装着しようとした場合であっても、膨出部の角との衝合による光ディスク裏面の損傷の発生を未然に防止することができる。
【００４４】
しかも、トレイの幅の少なくとも一部が光ディスクの直径よりも短く形成された光ディスクドライブの場合においては、更に、ディスク保護部材の厚みを、ディスク保護部材の付設位置において、チャック機構の外周部とトレイの幅方向の端部とを結ぶ直線よりも外側に突出するように形成するようにしているので、光ディスクの裏面と膨出部の角との衝合によって生じる傷に加え、更に、光ディスクの裏面とトレイの端部との衝合によって生じる傷も防止することが可能となる。
【００４５】
また、ディスク保護部材をテープ状の柔軟素材によって形成しているので、膨出部を除くトレイの表面を全体的にディスク保護部材でカバーする場合と比べて装置の製造コストの軽減化が可能である。しかも、テープ状の柔軟素材を要所にのみ貼着すれば済むので、光ディスクドライブの機種の違いによるトレイや膨出部の形状に応じたディスク保護部材を準備する必要もなく、様々な光ディスクドライブに対応することができる。
【図面の簡単な説明】
【図１】本発明を適用した一実施形態の光ディスクドライブの媒体保護構造について示した図である。
【図２】光ディスクの装着過程を示した概念図であり、図２（ａ）では正しい装着状態を示し、図２（ｂ）では光ディスクに傾きの生じた装着状態について示している。
【図３】本発明を適用した他の一実施形態の光ディスクドライブの媒体保護構造について示した図である。
【図４】従来の光ディスクドライブの構造を示した図である。
【図５】光ディスクの装着過程を示した概念図であり、図５（ａ）では正しい装着状態を示し、図５（ｂ）では従来の光ディスクドライブで傷の発生する可能性のある装着状態について示している。
【図６】光ディスクドライブを装着したパーソナルコンピュータの一例を示した斜視図である。
【符号の説明】
１  光ディスクドライブ
２  ドライブ本体
３  トレイ
３ａ  幅方向の端部
４  チャック機構
４ａ  テーブル部
５  膨出部
５ａ  外側輪郭部
６  光学ピックアップ
７  スリット
８  ディスク保護部材（テープ状の柔軟素材）
９  トレイの基準面
１００  光ディスク
１０１  パーソナルコンピュータ
１０２  トレイ
１０３  光ディスクドライブ
１０４  ドライブ本体
１０５  チャック機構
１０６  膨出部
１０６ａ  外側輪郭部
１０７  光学ピックアップ
１０８  スリット
１０９  トレイの基準面
【図１】
0003714247.tif 000002
【図２】
0003714247.tif 000003
【図３】
0003714247.tif 000004
【図４】
0003714247.tif 000005
【図５】
0003714247.tif 000006
【図６】
0003714247.tif 000007